(57)【要約】【課題】  電車内における、ユーザによる電波オフモードの設定し忘れを減少させて、快適な車内環境の実現に貢献しうる携帯通信装置を提供する。【解決手段】  Webページの閲覧によって、電波オフモード設定コマンドが携帯通信装置のブラウザ１２へ送信される。書込部１４は、そのコマンドに基づいて電波オフモード設定に関する日時情報をメモリ１６に書き込む。クロック部１７によって計時される現在日時が、メモリ１６に格納されている日時情報に示される日時になれば、モード移行部１８によって通常モードから電波オフモード、又は、電波オフモードから通常モードに移行させる。【選択図】  図１
2005064678.tif 000002
【特許請求の範囲】
【請求項１】
ネットワークを介して、サーバ装置内にアクセスし、情報を取得するアクセス手段と、
電波の送受信をオンとする第１モードから電波の送信をオフとする第２モードに移行する処理、又は、第２モードから第１モードに移行する処理を、取得した情報に基づいて行うモード移行手段とを備える
ことを特徴とする携帯通信装置。
【請求項２】
前記携帯通信装置は、更に、
メモリと、
現在時刻を計時するクロック手段とを備え、
前記アクセス手段は、
サーバ装置にアクセスし、時刻情報を取得するブラウザと、
前記ブラウザで取得された時刻情報を前記メモリに書き込む書込部とを有し、
前記モード移行手段は、
クロック手段が計時する現在時刻が、前記メモリに記憶された時刻情報に示される時刻に一致した場合にモード移行を行う
ことを特徴とする請求項１記載の携帯通信装置。
【請求項３】
前記ブラウザは、前記サーバ装置で提供されているWebページの内容を解析して、XML言語で記述されたコマンドを抽出するパーサ部を有し、
前記書込部は、抽出されたコマンドが時刻情報をメモリに書き込む旨の書込コマンドである場合に前記メモリへ時刻情報を書き込む
ことを特徴とする請求項２記載の携帯通信装置。
【請求項４】
前記パーサ部は、Webページにおいて、所定のタグで囲まれた部分のコマンドを抽出する
ことを特徴とする請求項３記載の携帯通信装置。
【請求項５】
メモリには、モード移行手段に対する設定要件を規定する変数領域があり、
前記書込部は、当該変数領域を時刻情報の書込先に指定している書込コマンドに従い、時刻情報を変数領域に書き込む
ことを特徴とする請求項３又は４記載の携帯通信装置。
【請求項６】
携帯通信装置によりアクセスされるサーバ装置であって、
Webページを記憶する記憶手段と、
アクセスによりWebページを携帯通信装置に提供する提供手段とを備え、
Webページは、XML言語で記述された書込コマンドを含み、書込コマンドは、メモリに、時刻情報を書き込む旨を携帯通信装置に命じるコマンドであり、
時刻情報は、電波の送受信をオンとする第１モードから、送信をオフとする第２モードへの移行を行うべき時刻、又は、第２モードから第１モードへの移行を行うべき時刻を示す
ことを特徴とするサーバ装置。
【発明の詳細な説明】
【技術分野】
【０００１】
本発明は、携帯通信装置と、サーバ装置に関し、特に携帯電話機における電波の送信を停止させる技術の改良に関する。
【背景技術】
【０００２】
携帯電話機において電波の送信を停止させる技術としては、電波オフモードが知られている。電波オフモードとは電源をオンにしたままで電波の送信のみを停止状態にするモードをいう。電波オフモードでは、電源はオンとしつつも、電波の送信はオフとするので、携帯電話機の使用が禁止されていたり、制限されている区域において、インストール済みのゲームを楽しんだり、スケジュールの管理を行うことができる。また、腕時計の代わりに携帯電話機の時計機能を使用することもできる。電波オフモードに関しては、特許文献１、２に記載された先行技術がある。例えば特許文献１は、手動で電波オフモードを設定する方法を開示している。
【０００３】
また、例えば特許文献２は、電源をオンにした時にはデフォルトで電波オフモードに設定しておき、電話やメールの送受信を行う際には、ユーザが手動で通常モードに切り換える方法を開示している。ここで、通常モードとは、電波の送受信を動作状態にするモードをいう。
【特許文献１】特開平11-225378号公報
【特許文献２】特開2003-134562号公報
【発明の開示】
【発明が解決しようとする課題】
【０００４】
しかしながら、特許文献１のような手動で電波オフモードを設定する方法では、携帯電話機の使用が禁止されている区域において、設定し忘れる可能性があることが否めない。例えば電車内で、ある乗客が電波オフモードに設定し忘れたままで携帯電話機のスケジュール機能や時計機能を使用すると、電話での通話やメールの送信を行っていないにもかかわらず、位置登録などを行うための電波が基地局へ向けて発信されるので、他人に迷惑をかける可能性がある。
【０００５】
これを解消するには特許文献２に記載された技術を適用することが考えられる。特許文献２の技術は、デフォルトで電波オフモードに設定しておく技術であり、不要な電波発信は低減される。この特許文献２で問題となるのは、一度でも電話をかけるなどして、通常モードに設定された場合である。この場合、電車内において手動で電波オフモードに設定し直さなければならないので、電波オフモードの設定し忘れは、依然として発生する。
【０００６】
そこで、本発明の目的は、電車内におけるユーザによる電波オフモードの設定し忘れを減少させて、快適な車内環境を実現しうる携帯通信装置を提供することである。
【課題を解決するための手段】
【０００７】
上記課題を解決するために、本発明に係る携帯通信装置は、ネットワークを介して、サーバ装置内にアクセスし、情報を取得するアクセス手段と、電波の送受信をオンとする第１モードから電波の送信をオフとする第２モードに移行する処理、又は、第２モードから第１モードに移行する処理を、取得した情報に基づいて行うモード移行手段とを備える。
【発明の効果】
【０００８】
本発明に係る携帯通信装置は、上述の構成を備えることにより、ユーザがサーバ装置内にアクセスすることによって、携帯通信装置は通常モードから電波オフモードへの移行を行う。ユーザが電波オフモードへの切り換え操作を忘れた場合でも、サーバ装置内にアクセスするという行為さえなされれば、確実に電波オフモードへの移行が実現されるので、電波オフモードへの切り換え忘れを減少させることができる。
【０００９】
また、前記携帯通信装置は、更に、メモリと、現在時刻を計時するクロック手段とを備え、前記アクセス手段は、サーバ装置にアクセスし、時刻情報を取得するブラウザと、前記ブラウザで取得された時刻情報を前記メモリに書き込む書込部とを有し、前記モード移行手段は、クロック手段が計時する現在時刻が、前記メモリに記憶された時刻情報に示される時刻に一致した場合にモード移行を行わせてもよい。これにより、電波オフモードへの移行をメモリに書き込まれた時刻情報で管理することができ、時刻情報を参照して、現在時刻と一致した場合に電波オフモードへの移行がなされることから、必ずしも電波オフモードへの移行を希望する直前に設定する必要はなく、事前に設定しておくことが可能となる。
【００１０】
また、前記ブラウザは、前記サーバ装置で提供されているWebページの内容を解析して、XML言語で記述されたコマンドを抽出するパーサ部を有し、前記書込部は、抽出されたコマンドが時刻情報をメモリに書き込む旨の書込コマンドである場合に前記メモリへ時刻情報を書き込ませてもよい。これにより、事業者側によりWebページが運営されている場合には、電波オフモードの設定をユーザ側のモラルに頼ることなく行うことができるので、事業者にとってのメリットは大きい。さらに、初期設定のためにXML言語に対応したパーサ部と書込部を既に備えている携帯電話機については、Webページよりダウンロードした時刻情報の書き込みを行わせることができる。本発明において、携帯電話機の追加構成として、最低限パーサ部と書込部さえあればよいことから、携帯電話機のコストアップを招くことなく、電波オフモード設定のし忘れを減少させることが可能である。
【発明を実施するための最良の形態】
【００１１】
以下、本発明に係る携帯通信装置の実施形態について、携帯電話機を一例にして説明する。図１は携帯電話機でインターネット接続し、Webページを閲覧する場合に必要な通信システムを示す図である。携帯電話機については、その内部構成も示している。本図に示すように、通信システムはWebサーバ１、ネットワーク３、基地局４、携帯電話機５から構成される。
【００１２】
Webサーバ１は、各通信事業者によって管理されており、サーバ上で提供される各種サービスを、ネットワーク３、基地局４を介して、各ユーザが所持する携帯電話機５へ送信する。また、Webサーバ１は提供部２と、Webページを格納するための記憶部を備えている。ここで各種サービスとは、鉄道会社によって管理されているWebページ上に、各列車の出発地、到着地、出発時刻、到着時刻、及び空席などについての情報を掲載し、ユーザに閲覧させるものである。さらには、乗車券の予約をも行えるようにすることである。
【００１３】
提供部２は、携帯電話機５で実行することが可能なMMC（Mobile Management Command）を、Webサーバ１上に設置された特定のWebページにアクセスした携帯電話機５に送信するものである。ここでMMCとは、XML形式で記述されたコマンド列であり、携帯電話機５はこのコマンド列を解釈、実行することによって各種設定がなされる。
続いて携帯電話機５について説明する。携帯電話機５は、アンテナ６、送受信部７、電源部８、スイッチ９、非通信機能部１０から構成される。
【００１４】
送受信部７は、高周波信号とベースバンド信号の変換処理とベースバンド信号に対する送受信処理を行う。データの受信時において、アンテナ６から入力されてくる高周波信号を増幅し、ベースバンド信号に変換して受信処理を行い、デジタルデータを得て非通信機能部１０に出力する。送信時においては、非通信機能部１０からのベースバンド信号を高周波信号に変換し、増幅した上で送信出力する。そして、送受信部７は電話の発着信、メールやWebの送受信に関する機能と、基地局からの制御情報を受信する機能とを有している。電波オフモードでは、電話の発着信、メールやWebの送受信の機能については停止させて、基地局からの制御情報のみ受信できるようにしている。これは、ユーザが移動して通信する基地局が変わった場合においても、電波オフモード解除後スムーズに通話、通信ができるようにするためである。
【００１５】
電源部８は、ここで生成された電力を、スイッチ９を経て送受信部７と非通信機能部１０へそれぞれ供給する。
スイッチ９は、電源部８からの電力を非通信機能部１０のみに供給するか、あるいは送受信部７と非通信機能部１０に供給するかを、非通信機能部１０からの信号を受けて切り替える。オンの場合は、送受信部７と非通信機能部１０に電力が供給され、オフの場合には、非通信機能部１０のみに電力が供給される。
【００１６】
なお、オフの場合には、送受信部７における電話の発着信、メールやWebの送受信に関する機能についてのみ電力の供給が断たれて、基地局からの制御情報を受信する機能に関しては、別系統で電力の供給がなされる。
非通信機能部１０は、制御部１１、表示部１５、メモリ１６、クロック部１７、操作部１９から構成される。そして、スケジュール管理やゲーム等のように電波の送受信とは関係のない機能については、非通信機能部１０で実現されるものである。続いて、非通信機能部１０の各構成部についての説明を行う。
【００１７】
制御部１１は、CPUとROMから構成されており、CPUがROMに格納されたプログラムを読み取り、ハードウェア資源と協働することによって、ブラウザ１２、書込部１４、モード移行部１８としての機能を果たす。
ブラウザ１２は、HTML言語、XML言語等で記述されたデータを読み取るソフトウェアである。ここで読み取られた内容は表示部１５で表示され、Webサーバ１に設置されたWebページを閲覧したりする際に用いられる。そしてブラウザ１２は、図２に示すようにパーサ部１３を備えている。
【００１８】
パーサ部１３は、Web上のページから送信されたMMCから、XML形式で記述されたコマンド列を抽出し、抽出されたコマンド列が携帯電話機５で実行可能なものであるか否かの判定を行う。
書込部１４は、パーサ部１３で抽出されたコマンド列に従って、メモリ１６への書き込みを行う。
【００１９】
ここでパーサ部１３と書込部１４は、携帯電話機５の購入後、通信事業者指定の初期設定サーバにアクセスして、初期設定情報をメモリ１６に書き込むために設けられている。本実施形態では、それだけではなく、鉄道会社のホームページにアクセスし、電波オフモードの設定を行うためのMMCを受信する。鉄道会社のWebページにアクセスした際に得られた、MMCの一例を図３に示す。
【００２０】
パーサ部１３は、本図におけるタグ<mmc mmcID...>と</mmc>から、この間にある文をコマンド列として抽出する。タグ<method.../>内に記述されている文は、個々のコマンドを示している。それらは、コマンド識別子であるidと、メモリアクセスの為のコマンドであるnameと、サーバ側に応答する際の条件を示すreportstatusと、携帯電話機５におけるメモリ１６の書き込み先を指定するobjectと、メモリ１６に書き込む値を示すvalueとを含む。nameが"write"の場合には、揮発メモリへ書き込み、"commit"の場合には、不揮発メモリへの書き込みを示す。
【００２１】
表示部１５は、液晶ディスプレイなどで実現されており、制御部１１からの信号を受けて、ブラウザ１２を用いてWebページを表示する。図４は、表示部１５にて鉄道会社のWebページを表示している例であり、○○鉄道の乗車券を予約するためにWebページを閲覧している場面である。乗車日、出発地、到着地については既に選択されており、それに対応する各列車の出発時刻、到着時刻、及び列車名が図４のように数字で表示され、また各列車の空席の有無が○×で示される。ここで列車名を選択し、その際に表示される画面上で氏名などの個人情報を入力することによって、図５に示すような予約確認の画面が表示される。ここで"OK"をクリックすると、出発時刻から到着時刻までの時間帯について、電波オフモードを設定するか否かの選択をユーザに促す図６の画面が表示される。これは図５で予約確認の画面を閲覧した際に、電波オフモードの設定コマンド列を含んだMMCが自動的にダウンロードされ、パーサ部１３にて、抽出されることで表示される。ここで"Yes"を選択すると、書込部１４が電波オフモードの設定に関する日時情報をメモリ１６に書き込むことによって電波オフモードの設定が登録され、上記時間帯における設定は有効となる。そして、表示部１５に電波オフモードの設定登録が完了したことを示す図７の画面が表示される。ここで"No"を選択した場合には、メモリ１６には、電波オフモードの設定に関する日時情報の書き込みは行われないため、設定は登録されず、上記時間帯における電波オフモードの設定は無効となる。
【００２２】
メモリ１６は、揮発メモリと不揮発メモリを有している。揮発メモリは、DRAMやSRAM等であり、データの記憶に電源を必要とし、ここに格納された内容は携帯電話機５の電源が断たれた場合には消滅する。制御部１１で処理が行われて、データを一時的に保管する場合に使用される。
不揮発メモリは、EEPROM等であり、ここに格納された内容は携帯電話機５の電源が断たれても消滅することはない。よって、電波オフモードの設定コマンド列がメモリ１６の不揮発メモリに書き込まれることによって、このコマンド列が携帯電話機５に登録され、電波オフモードの設定が有効となるのである。
【００２３】
図８は、メモリ１６に格納されたデータの一例を示すものであり、パーサ部１３でMMCから抽出されたコマンド列を書込部１４が実行した結果、メモリ１６の指定されたメモリ領域に、コマンド列で示した値が書き込まれる。phone:radio#offmode.date, phone:radio#offmode.start, phone:radio#offmode.endという３つのメモリ領域があり、それぞれは電波オフモード設定日、電波オフモード開始時刻、電波オフモード終了時刻を格納するものである。本図の例では、電波オフモード設定日に“２００３年６月２０日“、電波オフモード開始時刻に”８時“、電波オフモード終了時刻に“９時”が書き込まれることになる。
【００２４】
クロック部１７は、現在日時を計時し、その情報を制御部１１に受け渡す。
モード移行部１８は、クロック部１７で計時している現在日時を監視し、メモリ１６に格納されている電波オフモード設定に関する日時情報と一致した際に、携帯電話機５を通常モードから電波オフモードへ、あるいは電波オフモードから通常モードへの移行を制御する。モード移行部１８が、モード状態に応じてモードフラグを変化させ、このモードフラグによりスイッチ９のオン、オフが制御される。
【００２５】
モードフラグは、携帯電話機５におけるモード状態を示すフラグであり、モード移行部１８からの信号を受けて変化し、メモリ１６に書き込まれる。通常モードの場合は“０”を指し示し、電波オフモードの場合には“１”を指し示す。
操作部１９は、電話番号、文字等の入力や、各種操作を行うことができるようキーが配列されており、これらのキー操作によって、ブラウザ１２を起動しネットワークを介して、Webページを閲覧することが可能となる。
【００２６】
ここで、本発明に係る携帯通信装置において、Webページ上から電波オフモード設定コマンドをダウンロードしてから、実際に携帯電話機５で電波オフモードが設定され、そして、それが終了して通常モードに戻るまでのフローについて、図９を用いて具体例を交えながら説明する。
まず、携帯電話機５のブラウザ１２を起動して、図５に示すような鉄道会社のWebページ上から、列車の出発日時、到着日時を閲覧する（ステップS１）。そしてこれらの情報を閲覧した際に、XML形式でコマンド列が記述されているMMCがネットワーク３を介して、ブラウザ１２へダウンロードされる（ステップS２）。ブラウザ１２内のパーサ部１３において、MMCからタグ<mmc mmcID...>と</mmc>を検出し（ステップS３）、タグ<method.../>内に記述されているコマンド列を抽出する（ステップS4）。次に、パーサ部１３で抽出されたコマンド列が携帯電話機５で実行可能であるか否かを検証する（ステップS５）。そして、そのコマンド列が何らかの原因で問題が生じており、無効であると判断された場合には、図５に示すような出発日時と到着日時を表示している画面で"OK"をクリックした際に、エラー表示とともに電波オフモードの設定登録は行われないことを示すメッセージが表示される（ステップS６）。またコマンド列が実行可能であると判断された場合には、図６に示すような電波オフモードを設定するかどうかの選択をユーザに促す画面において（ステップS７）、"Yes"を選択すると、メモリ１６に電波オフモード設定日と電波オフモード開始時刻と電波オフモード終了時刻が書き込まれる（ステップS８）。これによって電波オフモードの設定登録が完了したことになる。ここでもし、コマンド列に問題があったためにメモリ１６への書き込みが正常に行われなかった場合には（ステップS９）、エラー表示とともに、電波オフモードの設定登録が行えなかったことを示すメッセージが表示される（ステップS１０）。
【００２７】
また、ステップS７で"No"を選択した場合にも、メモリ１６には書き込みがされず、電波オフモードの設定登録は行われない。
モード移行部１８は、クロック部１７で計時される日時を監視して、メモリ１６に格納されている電波オフモードの開始日時と合致した時に（ステップS１１）、モードフラグを“０”から“１”に変化させる。このモードフラグの変化を受けてスイッチ９をオフにさせ、送受信部７の電話の発着信、メールやWebの送受信の機能に対しての電力供給を停止させることによって、携帯電話機５を電波オフモードへ移行させる（ステップS１２）。
【００２８】
次に、クロック部１７がメモリ１６に格納されている電波オフモードの終了日時を示したとき（ステップS１３）、モード移行部１８は、モードフラグを“１”から“０”に変化させる。この変化を受けて、スイッチ９をオンにさせ、送受信部７の電話の発着信、メールやWebの送受信の機能に対しての電力供給を再開させることによって、携帯電話機５を通常モードへ復帰させる（ステップS１４）。
【００２９】
以上のように、乗車券の予約時などに、ユーザは携帯電話機で鉄道会社の管理するWebページに掲載された出発と到着に関する日時情報を閲覧するだけで、当該時間帯に対して電波オフモードを設定することができる。そして、電波オフモードの開始と終了に関して自動的に制御されることとなる。このように鉄道会社側が電波オフモードの設定を行わせることによって、ユーザによる電波オフモードの設定し忘れを減少させることができ、快適な車内環境の実現に貢献することができる。
【００３０】
＜補足＞
以上、本発明に係る携帯通信装置について実施の形態に基づいて説明したが、このような携帯通信装置を部分的に更に変形することもでき、本発明は上述した形態に限られないことは勿論である。即ち、
(１)  実施形態では、XML言語で記述された書込コマンドを用いて、電波オフモードを設定することとしたが、Webサーバ上に設置されたコマンド列を受信した携帯通信装置のブラウザが、コマンド列に従ってメモリに日時情報を書き込むことができ、その日時情報に基づいて携帯通信装置で電波オフモード設定が実行可能であれば、XML言語に限らず他の言語で記述されていてもよい。
【００３１】
(２)  実施形態では、電波オフモードの適応例を電車の乗車時間帯としたが、これに限定されるのではなく、バス等、他の交通機関の乗車時間帯であってもよいし、映画の上映時間帯や、会議、セミナー、テストなどの実施時間帯、あるいは病院における滞在時間帯であってもよい。
(３)  実施形態では、携帯通信装置に関して、携帯電話機を例に挙げて説明を行ったが、これに限定されるのではなく、スケジュール管理やゲーム等のように電波の送信を必要としない機能を有する装置であれば、PDAなど他の携帯通信装置であってもよい。
【００３２】
(４)  実施形態では、電波オフモードの設定登録に、設定日、開始時刻、終了時刻の３つの要件が必要であると説明したが、これら３つの情報が必要というわけではなく、開始時刻、あるいは終了時刻の１つの情報だけでもよい。
(５)  実施形態では、鉄道会社が管理するWebページにて乗車券の予約を行う際に、電波オフモードを設定する日時情報に関する書込コマンドがダウンロードされると説明を行ったが、必ずしも書込コマンドをダウンロードする必要はなく、予約後に日時情報の書込コマンドが記述された電子チケットを鉄道会社の管理するサーバから受け取ることによって、電波オフモードの設定がなされてもよい。
【００３３】
(６)  実施形態では、電波オフモードに関して電波の送信のみを停止させるとしたが、これに限定されるのではなく、電波の送信と受信の両方を停止させてもよい。電波の受信も停止させることにより、携帯通信装置に内蔵された電池の消耗を抑えることができる。
【産業上の利用可能性】
【００３４】
本発明に係る、携帯通信装置は、電波オフモードの設定を、ユーザ側のモラルに頼らずに、鉄道会社等の事業者側が自社のホームページ等へのアクセスによって、させることが可能であり、スケジュール管理やゲーム等、電波の送信を必要としない機能を有する携帯電話機やPDA等の携帯通信装置に有用である。
【図面の簡単な説明】
【００３５】
【図１】携帯電話機５を用いた通信システムの構成を示す図である。
【図２】ブラウザ１２の構成を示す図である。
【図３】鉄道会社のWebページにアクセスした際に得られた、MMCの一例を示す図である。
【図４】表示部１５での乗車券予約に関するページの表示内容を示す図である。
【図５】表示部１５での乗車券予約確認の表示内容を示す図である。
【図６】電波オフモードの設定登録を行うか否かを選択することにおける、表示部１５での表示内容を示す図である。
【図７】電波オフモードの設定登録が完了した際の表示部１５での表示内容を示す図である。
【図８】メモリ１６に格納されたデータの一例を示す図である。
【図９】Webページ上から電波オフモード設定コマンドをダウンロードし、実際に携帯電話機５で電波オフモードが設定され、それが終了して通常モードに戻るまでのフローチャートである。
【符号の説明】
【００３６】
１  Webサーバ
２  提供部
３  ネットワーク
４  基地局
５  携帯電話機
６  アンテナ
７  送受信部
８  電源部
９  スイッチ
１０  非通信機能部
１１  制御部
１２  ブラウザ
１３  パーサ部
１４  書込部
１５  表示部
１６  メモリ
１７  クロック部
１８  モード移行部
１９  操作部
【図１】
2005064678.tif 000003
【図２】
2005064678.tif 000004
【図３】
2005064678.tif 000005
【図４】
2005064678.tif 000006
【図５】
2005064678.tif 000007
【図６】
2005064678.tif 000008
【図７】
2005064678.tif 000009
【図８】
2005064678.tif 000010
【図９】
2005064678.tif 000011